(57)【要約】【課題】足元近傍に効果的な暖房放射に難点があった。【解決手段】スタンドを下部にして、該スタンドの上部に回動自在な筐体を搭載すると共に、該筐体には発熱体３と熱反射板４を配設して、床面の低位置から適宜に筐体を回動させる事で、暖房の弱点とされる足元近傍に放射指向性を容易に調整可能とした。【選択図】図１
2006250517.tif 000002
【特許請求の範囲】
【請求項１】
スタンドと、該スタンド上に発熱管を配設した筐体を連結搭載して、該筐体は内側を二分するように熱反射板を設け、その前面に発熱管と更にその前面にガードを設けた放射口を設け、又熱反射板の背後に排熱穴を形成していると共に、該スタンドには送風モータの吸込側を取付け、送風側には消臭セラミックを一体的に載置配設しており、該送風モータが周辺の臭気を含めた空気を吸込み、次で臭気を還元分解する脱臭セラミックを経て、スタンドと筐体を貫通する通気口を通り、上述の熱反射板背後にこもる熱を外部に強制排出を可能とした足元暖房器。
【請求項２】
発熱管及び熱反射板を配設した筐体と、該筐体を回動自在に搭載連結したスタンドから成り、該筐体側に複数の凹部を設けると共にスタンド側にロック板とを構成し、該ロック板と凹部の嵌入係合で筐体とスタンドのロックを任意に設定出来るようにして、放射口を暖房効果に合わせ適宜に調整可能にした足元暖房器。
【発明の詳細な説明】
【技術分野】
【０００１】  本発明は発熱体を内装した石英管でハロゲンヒータやカーボンヒータと称される発熱管を用いて、床面近傍の低位置からの放射効果をもたらすのに好適な足元暖房器に関する。
【背景技術】
【０００２】  係るハロゲンヒータやカーボンヒータの発熱管を用いた暖房器は、床面に据置するスタンド内に発熱管と熱反射板を配設した暖房器が提案されている。【０００３】
【特許文献】特開２００２−２６７１８３公報
【発明の開示】
【発明が解決しようとする課題】
【０００４】  この種の暖房器は本体であるスタンド内に発熱管及び熱反射板を固定しており、床面近傍の低位置から放射効果は求め易い。しかし、スタンドが固定的に据置されるので、使い勝手面で期待する丈の効果的な暖房が得られず、使用者に物足り無さが起こる事は否めない。
【課題を解決するための手段】
【０００５】  そこで本発明は上記課題を解決する為に、スタンド上に搭載固定する筐体に発熱管と熱反射板を配設し、該筐体の放熱口を所望の角度に回動変位できるようにして、床面近傍の低位置からも水平及び上方への角度を任意に調整可能とした。従って、本発明は効果的な放射が期待できる足元暖房器を提供する事にある。
又、スタンド内に送風モータを配設し、該送風モータに依って筐体内に留まる熱を強制排出するようにしたので、筐体の熱変形が防止できると共に小型化も可能となった。
【発明の効果】
【０００６】  本発明の足元暖房器に依れば、床面に据置するのに安定的なスタンドと，該スタンド上へ横型に発熱管と熱反射板を構成した筐体を搭載して且つ回動自在にした。係る足元暖房器はキッチン等のように小スペースでの据置と放射口を自在に調整可能としたので、所望の方向への効果的な暖房が出来る。【０００７】  又、スタンド内の送風モ−タ上に消臭セラミックを載置固定して、該消臭セラミックが足元暖房器周辺に留まる臭気を吸収分解すると共に、送風モータの送風が筐体内に留まる発熱管の熱を外部へ強制排出して筐体の熱変形を防止する。
【発明を実施するための最良の形態】
【０００８】  次に本発明の実施形態を説明する。第１図に示す足元暖房器Ａは筐体１とスタンド２及び発熱管３から構成されている。尚、筐体１及びスタンド２は合成樹脂材で形成されている。但し、該合成樹脂材に限定せず金属板及び非金属板からなる薄板を加工したものでもよい。
又、発熱管３は発熱体を内装し、所謂石英管から成るハロゲンヒ−タ及びカーボンヒ−タと言われるものである。【０００９】  第２図に示す筐体１は楕円形球体にして、前面に発熱管３に沿って横長状の放射口４を開口している。又両端背面のＲ面に排熱穴５を形成すると共に、中央下面の連結部に連結面６及び通気口７とを設けている。【００１０】  尚、排熱穴５の形状は丸穴や長穴及び異形穴を任意に意匠を考慮したものでよい。又筐体１の内側には発熱管３を、該発熱管３を支持する固定板８ａ，８ｂ及び熱反射板９がネジ等の締結部材で固定されている。【００１１】  又、熱反射板９は発熱管３の後側を半円状にすると共に前側を扇形として、発熱管３を被うように形成されている。【００１２】  筐体１の上部には発熱管３に連続通電と通電時間を任意設定できるタイマー１０及び電源スイッチ１１を固定するブラケット１２を介して取付けられている。【００１３】  スタンド２はほゞ筐体１の横幅サイズと同様かそれ以下の小さめになっており、該スタンド２は筐体１を搭載する連結面１３と通気口１４を設けている。【００１４】  従って、筐体１の開口部７とスタンド２の通気口１４とは後述するように連結且つ摺接するように回動変位させても通気口７，１４が閉鎖方向に作用しても完全には塞ぐ事がないように構成されている。
即ち、回動変位に依って、通気口７，１４が狭小になっても塞がれる事はない。【００１５】  次に筐体１とスタンド２の連結構造について説明する。【００１６】  スタンド２の連結面１３はスロープ状のＲ面になっている。該連結面１３の長手方向両端には凹溝１５ａ，１５ｂと更にその内側には凸片１６ａ，１６ｂをＲ状に形成している。【００１７】  凸片１６ａ，１６ｂは該凸の側面に穴１７ａ，１７ｂが窄孔されている。これに対向して筐体１側のＲ面には凹溝１５ａ，１５ｂに嵌入係合する凸レール１８ａ，１８ｂと凸片１６ａ，１６ｂを狭み込むように嵌入係合する逆凹部１９ａ，１９ｂと１９ｃ，１９ｄを形成している。
該逆凹部１９ａ，１９ｂと１９ｃ，１９ｄは後述するロック凹部２３ａ，２３ｂ，２３ｃの３ヶ所に変位可能な回動範囲の長さから成るＲ状の長穴２０ａ，２０ｂ，２０ｃ，２０ｄを形成している。【００１８】  スタンド２に筐体１を搭載するには、連結面１３，６に形成した逆凹部１９ａ，１９ｂと１９ｃ，１９ｄと凸レール１８ａ，１８ｂを、それぞれ嵌入係合後にスライドピン２１を横方向から挿入して、且つＥ型止め輪２２を嵌めて、上記の筐体１とスライド２を連結構成している。【００１９】  該連結面１３，６の嵌合に依って筐体１はスライド２上に搭載固定された状態で回動自在に構成している。【００２０】  ロック構造は第７，８，９図で示しており、筐体１の背面下部に凹部２３ａ，２３ｂ，２３ｃを三ヶ所以上の複数箇所に形成すると共に該凹部２３ａ，２３ｂ，２３ｃと係合するロック板２４をスタンド２に固定配設している。【００２１】  ロック板２４はＬ形に折り曲げ、一端を上記凹部２３ａ，２３ｂ，２３ｃと弾発嵌合する係合片２４ａを形成し又、他端に操作片２４ｂを設けている。該ロック板２４は係合片２４ａの手前両面に穴を有する折曲げ片２４ｃ，２４ｄを設け、該折曲げ片２４ｃ，２４ｄに支持ピン２５を挿入して揺動自在に構成すると共に、捻りコイルバネ２６でロック板２４は弾性力で係合片２４ａを凹部２３ａに嵌めてロックされている。
尚、凹部２３ａ，２３ｂ，２３ｃの凹形状はロック機能を果たす限り設計的な変更は自由である。又、本発明ではロック板２４に弾接したバネは、捻りコイルバネ２６に依ったが引張バネや圧縮バネ及び板バネ、ゴム等でも同一機能が得られるので必ずしも限定されない。【００２２】  操作片２４ｂはスタンド２の背面壁２ａの一部を開けた操作孔２ｂから突出している。この構成に依って放射口４を所望の角度にする為に、操作片２４ｂを押圧すると第８図に示すようにロック板２４の係合片２４ａが筐体１の凹部２３ａから離脱する。【００２３】  操作を続行する為に、一方の手で操作片２４ｂを押圧し乍がら、他方の手で筐体１の端部を握り手動回転させる。次で操作片２４ｂの押圧を解除すると係合片２４ａが次の凹部２３ｂに嵌入係合して、第９図のようになる。
これに依って、筐体１の回動が阻止されて放熱口４は、所望方向に向く事で効果的な放射方向が固定される。【００２４】  本実施例のロック機構は３段階で筐体１を回動可能としたが、此れを２段階とか他の複数段階で行えるように、又無段階とする事も限定されない。更にロック機構は実施例に依る係止片２４ａの嵌入係止の構造以外を採用してもよく、機能的にロック作用を満足すればよい。【００２５】  スタンド２は中空体で形成されており、下部の開口部２７は底板２８で封じている。該底板２８は後述の送風モ−タ３２の取付面が、例えば小径の通気穴２８ａを複数個形成して、且つ適宜箇所にゴムあるいは樹脂等の凸脚２９をネジ３０で共締めしている。【００２６】  又、底板２８には使用者の不注意から筐体１が転倒した場合に、発熱管３への通電を瞬時に遮断する転倒スイッチ３１を内側から取付けている。【００２７】  該転倒スイッチ３１はアタッチメント３１ａが出没動作でＯＮ−ＯＦＦ通電作用する。凸脚２９より外側に突出は電源スイッチをＯＦＦ切断するように構成されている。
従って足元ヒーターＡを正常な姿勢で床面に据置した時は凸脚２９と同一位置まで出没可能なアタッチメント３１ａを押し込んでＯＮ状態に保つように構成されている。【００２８】  送風モータ３２はスタンド２のほゞ中央に取付けらている。吸込側を底板２８に取付けると共に送風側を通気口１４，７に向けられており、その送風モータ３２の送風面には消臭セラミック３３が網目箱３４に納められ載置固定されている。【００２９】  足元暖房器Ａは周辺の空気と共に臭気が通気穴２８ａを通して送風モータ３２が吸込み、該吸込んだ空気及び臭気は、更に送風して消臭セラミック３３に供される。臭気は消臭セラミック３３に吸収されるが、暖房に依って発生する熱で還元分解されて消臭される。
そして、消臭セラミック３３を経由する空気は通気口１４，７を通り排熱穴５から外部へ強制排出される。【００３０】  該強制的に排出される空気は筐体１内の熱反射板９の裏側と筐体１の後部内側間に留まる高熱と共に外部へ出して、筐体１の熱に依って発生するトラブルを解消するのである。【００３１】  足元暖房器Ａは発熱管３の放熱が前方へ集中的となるように、筐体１のほゞ真ん中で反射板９が仕切り、該熱反射板９が遮る配置となっている。即ち、熱反射板９は前方の放熱口４に向かって反射放射すると共に背後には熱を通さないようにして、タイマー１０や電源スイッチ１１及び発熱管３・・・等の配線や電装部材を保護している。
ガード３５は放射口４に適宜の構造で固定されており、発熱管３からの高熱に依るヤケド（人災）や火災のアクシデントを守るものである。【００３２】  発熱管を横置に配設した筐体をスタンド上に搭載すると共に回動自在に連結し、該筐体の回動を調整設定するロック機構を設けたので放射口を効果的な方向に設定が可能となった。【００３３】  又、スタンド下面に取付けられた送風モータと該送風モータの送風側に消臭セラミックを一体的に載置固定したので、スタンド周辺の臭気を吸収消臭すると共に筐体内にこもる熱気を強制排出するようにした。
従って、筐体の熱的変形やヤケド（人災）及び火災を防止する事が可能な足元暖房器を提供出来る。
【図面の簡単な説明】
【００３４】
【図１】本発明に係る足元暖房器の正面図である。
【図２】図１の上面図である。
【図３】図７，８，９のロック板を示す斜視図である。
【図４】図１の側面図である。
【図５】筐体とスタンドを連結搭載する要部の分解断面図である。
【図６】図５のＢ−Ｂ断面図で、筐体部とスタンド部を分離した図である。
【図７】放射口が床面と平行時のロック機構を示し、図５のＣ−Ｃ断面図である。
【図８】図７から、ロック機構を解除した時の動作を示す図である。
【図９】図８から、筐体を回動し放射口を上向きにしてロック状態を示す図である。
【符号の説明】
【００３５】  １    筐体
２    スライド
３    発熱管
５    排熱穴
６    筐体の連結面
７    筐体の通気穴
９    熱反射板
１３  スタンドの連結面
１４  スタンドの通気穴
２４  ロック板
３１  転倒スイッチ
３２  送風モ−タ
３３  消臭セラミック
【図１】
2006250517.tif 000003
【図２】
2006250517.tif 000004
【図３】
2006250517.tif 000005
【図４】
2006250517.tif 000006
【図５】
2006250517.tif 000007
【図６】
2006250517.tif 000008
【図７】
2006250517.tif 000009
【図８】
2006250517.tif 000010
【図９】
2006250517.tif 000011